(57)【要約】【課題】  副走査中に取込み領域指定エラーを自動検知。【解決手段】  画像取込み領域を指定する手段３０１−３０３；撮像手段２０７，該撮像手段に撮像視野の光像を投射する光学手段および該光学手段と原稿の一方を副走査移送する手段を備え、撮像手段２０７が読み取った光像を表す画像データおよび副走査位置が原稿領域か否を表わす信号ＤＦ  ＦＧＡＴＥを生成する原稿スキャナ１０，１３；取込み指定領域の、原稿スキャナが生成した画像データを摘出する手段２６３；および、副走査位置が取込み指定領域内で前記信号が原稿領域外となった原稿領域外（領域指定エラー）、を検出する領域外検出手段２６３ａｄ；を備える画像読み取り装置。パソコンＰＣ１で取込み領域指定の画像読み取りコマンドを発生し、摘出手段２６３が摘出した取込み領域の画像データをＰＣ１に送信。領域指定エラーもＰＣ１に送信。【選択図】  図６
2006203523.tif 000002
【特許請求の範囲】
【請求項１】
画像取込み領域を指定する指定手段；
撮像手段，該撮像手段に撮像視野の光像を投射する光学手段および該光学手段と原稿の一方を副走査移送する手段を備え、前記撮像手段が読み取った光像を表す画像データおよび前記副走査の位置が原稿領域か否を表わす信号を生成する原稿スキャナ；
前記指定手段が指定した取込み領域の、前記原稿スキャナが生成した前記画像データを摘出する読み取りデータ摘出手段；および、
前記副走査の位置が前記取込み領域内で前記信号が原稿領域外となった原稿領域外を検出する領域外検出手段；
を備える画像読み取り装置。
【請求項２】
画像表示手段および画像取込み領域を指定する指定手段を含む編集装置；
撮像手段，該撮像手段に撮像視野の光像を投射する光学手段および該光学手段と原稿の一方を副走査移送する手段を備え、前記撮像手段が読み取った光像を表す画像データおよび前記副走査の位置が原稿領域か否を表わす信号を生成する原稿スキャナ；
前記指定手段が指定した取込み領域の、前記原稿スキャナが生成した前記画像データを摘出する読み取りデータ摘出手段；
前記副走査の位置が前記取込み領域内で前記信号が原稿領域外となった原稿領域外を検出する領域外検出手段；および、
前記データ摘出手段が摘出した画像データを前記編集装置に送る転送手段；
を備える画像読み取り装置。
【請求項３】
前記転送手段は、前記領域外検出手段が前記原稿領域外を検出したときは、前記編集装置に前記データ摘出手段が摘出した画像データは送らない；請求項２に記載の画像読み取り装置。
【請求項４】
前記転送手段は、前記領域外検出手段が前記原稿領域外を検出したときは、前記編集装置に領域指定エラー情報を送る；請求項２又は３に記載の画像読み取り装置。
【請求項５】
前記読み取りデータ摘出手段は、前記領域外検出手段が前記原稿領域外を検出すると、前記摘出する画像データの、原稿領域外のものは所定のデータに置換する；請求項１又は２に記載の画像読み取り装置。
【請求項６】
前記読み取りデータ摘出手段は、前記領域外検出手段が前記原稿領域外を検出すると、前記摘出する画像データの、原稿領域外のものは削除する；請求項１又は２に記載の画像読み取り装置。
【請求項７】
請求項１乃至６のいずれか１つに記載の画像読み取り装置；
画像データが表す画像を用紙上に形成するプリンタ；および、
前記画像読み取り装置の前記原稿スキャナが生成した画像データを前記プリンタの画像形成に適合する画像データに変換する画像データ処理手段；
を備える画像形成装置。
【発明の詳細な説明】
【技術分野】
【０００１】
本発明は、原稿画像を読み取る画像読み取り装置およびそれを用いる画像形成装置に関する。本発明は、例えば、原稿スキャナ，複写機，ファクシミリ装置、および、それらの少なくとも１つならびに必要に応じてパソコンを含み読み取り画像を通信を介してパソコンで利用する画像サーバシステムに実施できる。
【背景技術】
【０００２】
【特許文献１】特開２０００−３２２３３８号公報,
【特許文献２】特開２００２−２８１２４５号公報,
【特許文献３】特開平    ７−１５２２８０号公報,
【特許文献４】特開２００２−２９０６７８号公報。
【０００３】
原稿スキャナで読取った画像をファイルとしてネットワークに配信する、いわゆるネットワークスキャナは一般に普及しており、読取った画像をハードディスクに蓄積するとともに、画像をネットワーク上の端末にダウンロードすることもよくある。特許文献１にはこの種のスキャナ利用システムが記載されている。特許文献２には、原稿画像を読み取ってパソコン又はプリンタに出力する画像読み取り装置が記載されている。特許文献３には、原稿スキャナで読取った原稿画像を表示し、指定領域の切り取りを行うエディタを備える画像形成装置においてエディタ上での、原稿サイズの範囲外の領域指定は禁止することが記載されている。特許文献４には、シートスルー方式で、指定サイズ基準読み取りモードの原稿読み取り時には、実際の原稿のサイズにかかわらず、指定サイズ分だけ画像の読み取りを行い、原稿の搬送は、指定サイズにかかわらず、実際に原稿排出を検出した時点で終了する原稿読み取り装置が記載されている。
【発明の開示】
【発明が解決しようとする課題】
【０００４】
原稿画像のスキャナ読み取り時あるいはコピー時においては、操作ボード，操作端末，エディタあるいはパソコンから、画像の取込み範囲を指定して読み取りを行う場合がある。このとき、読み取る原稿に対して指定領域が原稿サイズ領域外になる場合がある。たとえば原稿サイズが原稿読み取り中に把握できない場合や、原稿サイズが定型サイズよりも短い場合に、指定領域が原稿サイズ領域外になることがある。例えば図１５の（ａ）に示すように、定型原稿サイズに対してその内側に領域を指定して原稿スキャナに原稿画像読み取りを指示すると、例えば図１５の（ｂ），図１５の（ｃ）に示すように、指定領域の画像をあらわす画像データのみが得られる。図１５の（ｃ）は、パソコン（ＰＣ）から原稿スキャナに、図１５の（ａ）に示すように取込み領域を指定して原稿画像の取り込みを指示した場合に、原稿スキャナがＰＣに送信してきた画像をＰＣのディスプレイに表示したものである。
【０００５】
ところが、定型サイズに対する取込み指定領域が図１５の（ａ）の場合と同様でも、図１６の（ａ）に示すように、原稿長が定型サイズよりも短いと、領域外となった箇所は、図１６の（ｂ），（ｃ）に示すように、読み取るべき原稿が無いため不定データを取込んでいた。該画像の読み取り中あるいは読み取り終了後の画像処理で、不定データを原稿画像の読み取りデータと同じく処理すると、ＡＣＳ（自動カラー判定：原稿がカラー原稿か白黒原稿かを自動判定）動作または白紙検知（原稿が白紙であるか否かを判定）動作で誤判定する事になり、画像処理品質が低下する。
【０００６】
本発明は、画像取込み指定領域に原稿領域が満たないことを自動検知することを第１の目的とし、原稿領域外取り込みエラーを自動報知することを第２の目的とし、原稿領域外取り込みを防止することを第３の目的とする。
【課題を解決するための手段】
【０００７】
（１）画像取込み領域を指定する指定手段(301-303)；
撮像手段(207)，該撮像手段に撮像視野の光像を投射する光学手段および該光学手段と原稿の一方を副走査移送する手段を備え、前記撮像手段(207)が読み取った光像を表す画像データおよび前記副走査の位置が原稿領域か否を表わす信号(DF FGATE)を生成する原稿スキャナ(10,13)；
前記指定手段が指定した取込み領域の、前記原稿スキャナが生成した前記画像データを摘出する読み取りデータ摘出手段(263)；および、
前記副走査の位置が前記取込み領域内で前記信号(DF FGATE)が原稿領域外となった原稿領域外を検出する領域外検出手段(263ad)；
を備える画像読み取り装置。
【０００８】
なお、理解を容易にするためにカッコ内には、図面に示し後述する実施例の対応要素または対応事項の符号を、例示として参考までに付記した。以下も同様である。
【発明の効果】
【０００９】
これによれば、原稿読み取りの副走査中に、取込み指定領域が原稿外である領域指定エラーが自動検知される。この検知結果に基づいて、ユーザにエラー報知をするとか、取込み指定領域の原稿外の読み取りデータを、原稿の地肌，白色あるいは所定の色又はパターンに置換するとか、原稿外のデータは削除するとか、読み取りデータの送信は取りやめて領域指定エラー情報を送信するとか、領域指定エラー対応の適正な処置を取ることができる。領域指定エラー情報が生成されると、ユーザは、取込み領域を正しく指定しなおすか、原稿を正しくセットしなおすかを決めることが出来る。原稿外の読み取りデータを所定のデータに置換するとあるいは削除すると、ＡＣＳ動作や白紙検知動作がエラーとなることがなくなる。領域指定エラーのときには読み取り画像データの送信を取りやめると、ＰＣ等のメモリディスクスペースを無駄に使用しなくなる。
【発明を実施するための最良の形態】
【００１０】
（２）画像表示手段および画像取込み領域を指定する指定手段(301-303)を含む編集装置(PC1)；
撮像手段(207)，該撮像手段に撮像視野の光像を投射する光学手段および該光学手段と原稿の一方を副走査移送する手段を備え、前記撮像手段(207)が読み取った光像を表す画像データおよび前記副走査の位置が原稿領域か否を表わす信号(DF FGATE)を生成する原稿スキャナ(10,13)；
前記指定手段が指定した取込み領域の、前記原稿スキャナが生成した前記画像データを摘出する読み取りデータ摘出手段(263)；
前記副走査の位置が前記取込み領域内で前記信号(DF FGATE)が原稿領域外となった原稿領域外を検出する領域外検出手段(263ad)；および、
前記データ摘出手段(263)が摘出した画像データを前記編集装置に送る転送手段(270)；
を備える画像読み取り装置。
【００１１】
（３）前記転送手段(270)は、前記領域外検出手段(263ad)が前記原稿領域外を検出したときは、前記編集装置に前記データ摘出手段(263)が摘出した画像データは送らない；上記（２）に記載の画像読み取り装置。
【００１２】
（４）前記転送手段(270)は、前記領域外検出手段(263ad)が前記原稿領域外を検出したときは、前記編集装置(PC1)に領域指定エラー情報を送る；上記（２）又は（３）に記載の画像読み取り装置。
【００１３】
（４ａ）前記編集装置は前記画像表示手段に領域指定エラーを表わす情報を表示する；上記（４）に記載の画像読取装置。
【００１４】
（５）前記読み取りデータ摘出手段(263)は、前記領域外検出手段(263ad)が前記原稿領域外を検出すると、前記摘出する画像データの、原稿領域外のものは所定のデータに置換する；上記（１）又は（２）に記載の画像読み取り装置。
【００１５】
（５ａ）前記読み取りデータ摘出手段(263)は、原稿領域外の画像データを、原稿領域の地肌の画像データに置換する；上記（５）に記載の画像読み取り装置。
【００１６】
（５ｂ）前記読み取りデータ摘出手段(263)は、原稿領域外の画像データを、全白の画像データに置換する；上記（５）に記載の画像読み取り装置。
【００１７】
（５ｃ）前記読み取りデータ摘出手段(263)は、原稿領域外の画像データを、画像読み取りモードがカラー又はグレイスケールのときは原稿領域の地肌の画像データに置換し、画像読み取りモードが白黒のときは全白に置換する；上記（５）に記載の画像読み取り装置。
【００１８】
（６）前記読み取りデータ摘出手段(263)は、前記領域外検出手段(263ad)が前記原稿領域外を検出すると、前記摘出する画像データの、原稿領域外のものは削除する；上記（１）又は（２）に記載の画像読み取り装置。
【００１９】
（６ａ）前記領域外検出手段(263ad)は、前記信号(DF FGATE)が原稿領域を表わすものになると副走査同期パルス(LSYNC)のカウントを開始して前記取込み領域の始端から終端の間取込み領域内を表わす取込み領域信号(I FGATE)を発生する手段(290-294)、および、該取り込み領域信号が取込み領域内を表わしかつ前記信号(DF FGATE)が副走査の位置が原稿領域外を表わすと領域指定エラー信号を発生する手段(295,296)、を含む；上記（１）乃至（６）のいずれか１つに記載の画像読み取り装置。
【００２０】
（６ｂ）画像取込み領域を指定する指定手段(301-303)；
原稿を副走査して原稿画像を表す画像データおよび該副走査が原稿領域か否を表わす信号(DF FGATE)を生成する原稿スキャナ(10,13)；
前記副走査が原稿領域か否を表わす信号(DF FGATE)を生成する手段(10,13)；
前記指定手段が指定した取込み領域の、前記原稿スキャナの原稿読み取りの画像データを摘出する手段(263)； 
前記副走査が前記取込み領域か否を表わす第２信号(I FGATE)を生成する手段(290-294)；および、
信号(DF FGATE)および第２信号(I FGATE)に基づいて取込み領域が原稿領域の外に及ぶ領域指定エラーを検出する手段(295,296)；
を備える画像読み取り装置。
【００２１】
（６ｃ）画像表示手段および画像取込み領域を指定する指定手段(301-303)を含む編集装置(PC1)；
原稿を副走査して原稿画像を表す画像データおよび該副走査が原稿領域か否を表わす信号(DF FGATE)を生成する原稿スキャナ(10,13)；
前記副走査が原稿領域か否を表わす信号(DF FGATE)を生成する手段(10,13)；
前記指定手段が指定した取込み領域の、前記原稿スキャナの原稿読み取りの画像データを摘出する手段(263)； 
前記副走査が前記取込み領域か否を表わす第２信号(I FGATE)を生成する手段(290-294)；
信号(DF FGATE)および第２信号(I FGATE)に基づいて取込み領域が原稿領域の外に及ぶ領域指定エラーを検出する手段(295,296)；および、
前記データ摘出手段(263)が摘出した画像データを前記編集装置に送る転送手段(270)；
を備える画像読み取り装置。
【００２２】
（７）上記（１）乃至（６ｃ）のいずれか１つに記載の画像読み取り装置；
画像データが表す画像を用紙上に形成するプリンタ(14)；および、
前記画像読み取り装置の前記原稿スキャナ(10,13)が生成した画像データを前記プリンタ(14)の画像形成に適合する画像データに変換する画像データ処理手段(262)；
を備える画像形成装置。
【００２３】
本発明の他の目的および特徴は、図面を参照した以下の実施例の説明より明らかになろう。
【実施例１】
【００２４】
図１に、本発明の第１実施例の画像読み取り装置を装備した複合機能複写機ＭＦ１の外観を示す。このフルカラー複写機は、大略で、自動原稿送り装置（ＡＤＦ）１３と、操作ボード２０と、カラースキャナ１０と、カラープリンタ１４およびフィニッシャ１００の各ユニットで構成されている。なお、操作ボード２０，ＡＤＦ１３付きのカラースキャナ１０およびフィニッシャ１００は、プリンタ１４から分離可能なユニットである。
【００２５】
複合機能複写機ＭＦ１には、パソコンＰＣ１が接続したＬＡＮ(Local Area Network)が接続されており、また、電話回線ＰＮ（ファクシミリ通信回線）に接続された交換器ＰＢＸが接続されている。カラープリンタ１４のプリント済の用紙は、フィニッシャ１００に排出される。
【００２６】
図２に、スキャナ１０およびそれに装着されたＡＤＦ１３の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００２７】
このようにスキャナ１０は、コンタクトガラス２３１上の原稿をランプ２３２およびミラー２３３で走査して原稿画像をＣＣＤ２０７に投影するフラットベッド（原稿定置読み取り方式）の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)１３が装着されており、ＡＤＦ１３の搬送ドラム（プラテン）２４４がガラス２４０に対向している。
【００２８】
ＡＤＦ１３の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００２９】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。
【００３０】
シートスルー読み取りの場合には、原稿トレイ２４１から繰り出される原稿をペーパセンサ２２３が検出して、原稿がセンサ２２３を通過している間、紙ありを表すレベルの原稿通過検出信号を発生し、原稿スキャナ１０は、原稿がセンサ２２３の位置からガラス２４０の読み取り視野中心に達するまでの時間（ライン同期信号ＬＹＳＩＮＣの発生数）の遅延を原稿通過検出信号を加えた信号を、後述のフレームゲート信号ＤＦ  ＦＧＡＴＥ（図７）としてスキャナ画像処理２６３（図４）に出力する。原稿定置読み取りの場合には、コンタクトガラス２３１の下方に配設された、図示を省略した原稿サイズセンサの検出信号に基づいてフレームゲート信号ＤＦ  ＦＧＡＴＥ（図７）が生成される。
【００３１】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００３２】
ＡＤＦ１３の基体２４８は、奥側（図２紙面の裏側）でスキャナ１０の基体にヒンジ結合（蝶番連結）しており、基体２４８の手前側（図２紙面の表側）の取っ手２５０ｍを持ってＡＤＦ１３の基体２４８引き上げることにより、ＡＤＦ１３を起こす（開く）ことができる。ＡＤＦ１３の基体２４８の奥側には、ＡＤＦ１３の開閉を検出するスイッチがある。ＡＤＦ１３の、コンタクトガラス２３１に対向する圧板２５０ｐがＡＤＦ１３の底面部に装着されており、ＡＤＦ１３が閉じると、圧板２５０ｐの下面が、図２に示すように、コンタクトガラス２３１の上面に密着する。
【００３３】
図３に、カラープリンタ１４の機構を示す。この実施例のカラープリンタ１４は、レーザプリンタである。１色のトナー像を形成する、感光体５６および現像器５５ならびに図示を省略したチャージャ，クリーニング装置および転写器の組体（作像ユニット）は、Ｍ（マゼンタ），Ｃ（シアン），Ｙ（イエロー）およびＢｋ（黒）のそれぞれの作像用に一組、合せて４組があり、この順に搬送ベルト５７に沿ってタンデムに配列されており、それらによって形成された各色トナー像が順次に一枚の転写紙上に重ねて転写される。
【００３４】
第１トレイ４８，第２トレイ４９および第３トレイ５０に積載された転写紙は、各々第１給紙装置５１，第２給紙装置５２および第３給紙装置５３によって給紙され、縦搬送ユニット５４によって感光体５６に当接する位置まで搬送される。
【００３５】
スキャナ１０にて読み込まれた画像データは、画像入出力処理２６２（図４）で補正され、一旦ローカルメモリ２７６（図４）に書き込まれてから、読み出され、読み出した画像データを用いる図３の書込ユニット３０からのレーザー露光によって、図示を省略したチャージャによって均一に荷電した感光体５６に書込まれ、これにより静電潜像を形成する。この静電潜像が現像ユニット５５を通過することによって感光体５６上にトナー像が現れる。転写紙が感光体５６の回転と等速で搬送ベルト５７によって搬送されながら、感光体５６上のトナー像が転写される。その後、定着ユニット５８にて画像を定着させ、排紙ユニット５９によって後処理装置のフィニシャ１００に排出される。
【００３６】
図３に示す、後処理装置のフィニシャ１００は、本体の排紙ユニット５９によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３７】
一方、通常の排紙トレイ１０４は前後（図３紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。転写紙の両面に画像を作像する場合は、各給紙トレイ４８〜５０から給紙され作像された転写紙を排紙トレイ１０４側に導かないで、経路切り替えの為の分岐爪６０を下向きに廻す事で、一旦反転ユニット１１２に導き、そして両面給紙ユニット１１１にストックする。
【００３８】
その後、両面給紙ユニット１１１にストックされた転写紙は再び、感光体５６に作像されたトナー画像を転写するために、両面給紙ユニット１１１から再給紙され、経路切り替えの為の分岐爪６０を図示水平に戻し、排紙トレイ１０４に導く。この様に転写紙の両面に画像を作成する場合に、反転ユニット１１２および両面給紙ユニット１１１が使用される。
【００３９】
感光体５６，搬送ベルト５７，定着ユニット５８，排紙ユニット５９および現像ユニット５５は、図示を省略したメインモータによって駆動され、各給紙装置５１〜５３はメインモータの駆動を、やはり図示を省略した各給紙クラッチによって伝達することにより駆動される。縦搬送ユニット５４は、メインモータの駆動を図示を省略した中間クラッチによって伝達することにより駆動される。
【００４０】
図４に、図１の複合機能複写機ＭＦ１の画像処理システムの構成を示す。複合機能複写機ＭＦ１は、原稿画像読取りおよびカラー印刷を行うエンジン２６０，コントローラボード２７０および操作ボード２０を含む。エンジン２６０は、画像読取りおよび印刷を制御するＣＰＵ２６１，上述のカラースキャナ１０，上述のプリンタ１４、および、ＡＳＩＣ(Application Specific IC)で構成した画像入出力処理２６２を備えている。
【００４１】
コントローラボード２７０は、ＣＰＵ２７２と、ＡＳＩＣで構成された書画蓄積制御２７３と、ハードディスク装置（以下ではＨＤＤと表記）２７１と、ローカルメモリ（ＭＥＭ−Ｃ）２７６と、システムメモリ（ＭＥＭ−Ｐ）２７９と、ノースブリッジ（以下、ＮＢと記す）２７８と、サウスブリッジ（以下、ＳＢと記す）２８５と、ＮＩＣ２８０(Network Interface Card)と、ＵＳＢデバイス２８１と、ＩＥＥＥ１３９４デバイス２８２と、セントロニクスデバイス２８３他を含む。操作ボード２０は、コントローラボード２７０の書画蓄積制御２７３に接続されている。ファクシミリコントロールユニット（ＦＣＵ）２８７も、書画蓄積制御２７３にＰＣＩバスで接続されている。
【００４２】
ＣＰＵ２７２は、ＮＩＣ２８０を介してＬＡＮに接続されたパソコンＰＣ１あるいはインターネットを介するパソコンＰＣと書画情報の送受信を行うことができる。また、ＵＳＢ２８１，ＩＥＥＥ１３９４  ２８２，セントロニクス２８３を用いてパソコン，プリンタ，デジタルカメラ等と通信することができる。
【００４３】
ＳＢ２８５と、ＮＩＣ２８０と、ＵＳＢデバイス２８１と、ＩＥＥＥ１３９４デバイス２８２と、セントロニクスデバイス２８３と、ＭＬＢ２８４は、ＮＢ２７８にＰＣＩバスで接続されている。このように、ＭＬＢ２８４は、エンジン２６０にＰＣＩバスを介して接続する基板である。そして、ＭＬＢ２８４は、外部から入力された書画データをイメージデータ（画像データ）に変換し、変換された画像データをエンジン２６０に出力する。
【００４４】
コントローラボード２７０の書画蓄積制御２７３にローカルメモリ２７６、ＨＤＤ２７１などが接続されると共に、ＣＰＵ２７２と書画蓄積制御２７３とがＣＰＵチップセットのＮＢ２７８を介して接続されている。書画蓄積制御２７３とＮＢ２７８とは、ＡＧＰ(Accelerated Graphics Port)を介して接続されている。
【００４５】
ＣＰＵ２７２は、複合機能複写機ＭＦ１の全体制御を行うものである。ＮＢ２７８は、ＣＰＵ２７２、システムメモリ２７９、ＳＢ２８５および書画蓄積制御２７３を接続するためのブリッジである。システムメモリ２７９は、複合機能複写機ＭＦ１の描画用メモリなどとして用いるメモリである。ＳＢ２８５は、ＮＢ２７８とＰＣＩバス、周辺デバイスとを接続するためのブリッジである。また、ローカルメモリ２７６はコピー用画像バッファ、符号バッファとして用いるメモリである。ＨＤＤ２７１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード２０は、ユーザからの入力操作を受け付けると共に、ユーザに向けた表示を行う操作部である。
【００４６】
図５に、スキャナ１０およびプリンタ１４と画像入出力装置２６２との間でやり取りする画像データの流れを示す。画像入出力処理２６２には、カラースキャナ１０が原稿画像を読み取って発生するＲ，Ｇ，Ｂ画像データのそれぞれに対してシェーディング補正，読取りγ補正，ＭＴＦ補正等を行い、必要に応じて補正後のＲ，Ｇ，Ｂ画像データをＣ，Ｍ，Ｙ，Ｋ記録色データに変換するスキャナ画像処理２６３があり、また、Ｒ，Ｇ，Ｂ画像データ又はＣ，Ｍ，Ｙ，Ｋ記録色データをプリンタ１４の、Ｃ，Ｍ，Ｙ，Ｋ各色書込みユニット２１０〜２１３の画像表現特性に合ったＣ，Ｍ，Ｙ，Ｋ印刷データに変換するプリンタ画像処理２６４があり、更に、書画蓄積制御２７３に原稿読取り画像データＲＧＢ又はＣＭＹＫを出力し、書画蓄積制御２７３が出力する画像データＲＧＢ又はＣＭＹＫをプリンタ画像処理２６４に与える画像処理Ｉ／Ｆ(Interface circuit)２６５がある。
【００４７】
原稿１枚につき１枚の印刷を行う一枚コピーのときには、スキャナ画像処理２６３からＣＭＹＫ記録色データが画像処理Ｉ／Ｆ２６５に出力され、画像処理Ｉ／Ｆ２６５がこれらの画像データをプリンタ画像処理２６４に出力し、プリンタ画像処理２６４が必要に応じて変倍，画像加工を、そしてプリンタγ変換および階調処理をして各書込みユニット（レーザ書込ユニット３０の各レーザ発光器）に出力する。
【００４８】
原稿１枚につき複数枚の印刷を行う連続コピーのときには、スキャナ画像処理２６３からＣＭＹＫ記録色データが画像処理Ｉ／Ｆ２６５に出力され、画像処理Ｉ／Ｆ２６５によってこれらの画像データは書画蓄積制御２７３に出力されてローカルメモリ２７６又はＨＤＤ２７１に一時蓄積され、そして１枚のコピーの度に読み出されて書画蓄積制御２７３から画像処理Ｉ／Ｆ２６５を介してプリンタ画像処理２６４に与えられる。プリンタ画像処理２６４は、必要に応じて変倍，画像加工を、そしてプリンタγ変換および階調処理をして各書込みユニットに出力する。
【００４９】
スキャナ１０による原稿読取りおよび登録、又は、外部への送信のときには、スキャナ画像処理２６３が出力するＲＧＢ画像データが、画像処理Ｉ／Ｆ２６５および画像蓄積制御２７３を介して、ＨＤＤ２７１に登録される、又は、ローカルメモリ２７６又はＨＤＤ２７１に一時蓄積してから外部に送出される。
【００５０】
プリンタ１４による登録ＲＧＢ画像データ、又は、外部から受信したＲＧＢ画像データの印刷のときには、画像蓄積制御２７３および画像処理Ｉ／Ｆ２６５を介してＲＧＢ画像データがプリンタ画像処理２６４に与えられる。プリンタ画像処理２６４は、ＲＧＢ画像データをＣＭＹＫ記録色データに変換してから、必要に応じて変倍，画像加工を、そしてプリンタγ変換および階調処理をして、各書込みユニットに出力する。
【００５１】
図６に、スキャナ画像処理２６３にある原稿領域外検出２６３ａｄの機能構成を、論理素子の組み合わせで表す。パソコンＰＣ１の、複合機ＭＦ１を使用する複合機アプリケーション（プログラム：いわゆるソフト）の使用によって、ユーザがＰＣ１から取り込み領域を指定して原稿読み取りを指示すると、該アプリケーションによって、ＰＣ１からＣＰＵ２７２に原稿読み取りコマンドが送信され、ＣＰＵ２７２が該コマンドを解読して原稿読み取り条件情報を生成してＣＰＵ２６１に通知し原稿読み取りを指示する。ＰＣ１からの原稿読み取りコマンドには、画像取込み領域を指定する指定領域データが含まれており、ＣＰＵ２６１は、指定領域データの中の、副走査方向ｙの始端データｙ  ｓｔをレジスタ（ラッチ）２８８に、終端データｙ  ｅｎｄをレジスタ２８９に格納する。なお、ＰＣ１におけるユーザの取込み領域指定は、図９を参照して後述する。
【００５２】
スキャナ画像処理２６３は、指定領域内の画像データを切取り、指定された特性の画像処理を加えて画像処理Ｉ／Ｆを介して書画蓄積制御２７３に出力する。
【００５３】
図７には、図６に示す原稿領域外検出２６３ａｄの入出力を示す。図６および図７を参照すると、原稿スキャナ１０は、原稿読み取りを開始すると、原稿の副走査（原稿定置読み取りモードでは第１キャリッジの副走査移動：ｙ方向移動／シートスルー読み取りモードでは原稿の移送：ｙ方向移動）に同期したライン同期パルスＬＳＹＮＣ（副走査同期パルス）と、副走査方向ｙの読み取り視野に原稿があるか無いかを表わすフレームゲート信号ＤＦ  ＦＧＡＴＥ（Ｈ：原稿なし／Ｌ：原稿あり）をスキャナ画像処理２６３に出力するとともに、図示はしないが、読み取り画像データ（ＲＧＢ画像データ）および画素同期パルス（主走査同期パルス）をスキャナ画像処理２６３に出力する。
【００５４】
フレームゲート信号ＤＦ  ＦＧＡＴＥのＨからＬへの立下り点（ｙ方向の原稿始端）でフリップフロップ２９３がセットされてそのＱ出力が低レベルＬから高レベルＨに立ち上がる。この立上りに応答してプリセットカウンタ２９０および２９１がそれぞれレジスタ２８８および２８９の始端データｙ−ｓｔおよび終端データｙ−ｅｎｄを自身にロードして、ロード値よりの、ライン同期パルス（副走査同期パルス）ＬＹＳＩＮＣの到来数のカウントダウンを開始する。また、カウンタ２９７は、フレームゲート信号ＤＦ  ＦＧＡＴＥがＬ（原稿内）の間ライン同期パルスＬＳＹＮＣをカウントアップする。
【００５５】
原稿始端からｙ方向（副走査方向）の原稿読み取り走査がｙ  ｓｔ進行した時点にプリセットカウンタが２９０がｙ  ｓｔ分のライン同期パルスＬＳＹＮＣのカウントを完了してカウントオーバ信号を発生し、これによってフリップフロップ２９４がセットされてそのＱバー（オーバライン付きのＱ）信号がＨからＬに立ち下がる。このＱバー信号が、取込み指定領域内か否を表わす指定領域ゲート信号Ｉ  ＦＧＡＴＥであり、そのＬが、指定領域内を意味する。
【００５６】
原稿始端からｙ方向の原稿読み取り走査がｙ  ｅｎｄ進行した時点にプリセットカウンタ２９１がｙ  ｅｎｄ分のライン同期パルスＬＳＹＮＣのカウントを完了してカウントオーバ信号を発生し、これによってフリップフロップ２９４がリセットされてそのＱバー信号すなわち指定領域ゲート信号Ｉ  ＦＧＡＴＥがＨ（指定領域外）に反転する。
【００５７】
指定領域（ｙ  ｓｔからｙ  ｅｎｄまで）が原稿領域内である場合には、上記指定領域ゲート信号Ｉ  ＦＧＡＴＥは、図７に点線で示すように、フレームゲート信号ＤＦ  ＦＧＡＴＥがＬ（原稿領域内）の間に、Ｌ（指定領域内）からＨ（指定領域外）に切換り、これによってアンドゲート２９５の出力はＨに立ち上がることなく、Ｌに留まる。フレームゲート信号ＤＦ  ＦＧＡＴＥがＬ（原稿領域内）からＨ（原稿領域外）に切り換わるときに、カウンタ２９７のカウントデータｇ  ｌｉｎｅ（副走査方向ｙの原稿長データ）がラッチ２９８にセット（保持）される。カウンタ２９７は、フレームゲート信号ＤＦ  ＦＧＡＴＥがＨ（原稿領域外）になったことにより、カウント動作を停止する。
【００５８】
しかし、ｙ  ｅｎｄが原稿領域外であった場合、すなわちｙ方向の指定領域の終端が原稿の終端よりも外側であった場合には、フレームゲート信号ＤＦ  ＦＧＡＴＥがＨ（原稿領域外）に切り換わったときに指定領域ゲート信号Ｉ  ＦＧＡＴＥはまだＬ（指定領域内）であるので、アンドゲート２９５の出力がＬからＨに立上り、この立上り点でフリップフロップ２９６がセットされて、そのＱ出力である領域指定エラー信号ＤＦ  ＥＲＲ  ＩＮＴが、Ｌ（エラーなし）からＨ（領域指定エラー）に切換わる。
【００５９】
領域指定エラー信号ＤＦ  ＥＲＲ  ＩＮＴがＨ（領域指定エラー）になると、領域指定エラー信号ＤＦ  ＥＲＲ  ＩＮＴのＬからＨへの切換りに応答してＣＰＵ２６１（図４）が、読み取り画像データ宛ての、制御データフレームに、領域指定エラー情報を書き込む。この制御データフレームは、読み取り画像データのファイル名，プロパティおよび処置方などの、主に蓄積制御用あるいは転送制御用のデータを格納するものであり、読み取り画像データとともに、書画蓄積制御２７３を介してローカルメモリ２７６に一旦蓄積されてから、ＮＢ２７８およびＮＩＣ２８０を介してＰＣ１に送信される。ＰＣ１は、そのデイスプレイに、例えば図９の（ｂ）に示すように、受信画像データが表わす画像とともに、領域指定エラー情報に対応して、指定領域に原稿外ノイズがあることを表わす警報情報を表示する。
【００６０】
なお、取込み指定領域が原稿領域内であった場合には、領域指定エラー情報がない制御データフレームと共に読み取り画像データがＰＣ１に送信されるので、ＰＣ１は、そのデイスプレイに、例えば図１５の（ｂ）に示すように、受信画像データが表わす画像を表示する。
【００６１】
図８の（ａ）には、図４に示すＣＰＵ２６１の原稿読み取り制御ＤＲＣの概要を示す。ＰＣ１からの原稿読み取りコマンドをＣＰＵ２７２が受信してＣＰＵ２６１に伝達すると、ＣＰＵ２６１は、原稿読み取りコマンドを解読して（ステップ１，２）、読み取りコマンドに含まれる原稿読み取り条件に従う読み取りモードおよび画像データ処理条件をそれぞれ、スキャナ１０およびスキャナ画像処理２６３に設定する（ステップ３，４）。なお、以下においては、カッコ内にはステップという語を省略して、ステップＮｏ．のみを記す。
【００６２】
この画像データ処理条件の設定（４）のとき、ＣＰＵ２６１は、原稿読み取りコマンドにある指定領域データｙ  ｓｔ（副走査方向始端位置データ）およびｙ  ｅｎｄ（副走査方向終端位置データ）をそれぞれレジスタ２８８および２８９（図６）に書込む。そして、書画蓄積制御２７３に、読み取り画像データの転送モード（ローカルメモリ２７６に蓄積してから、ＮＢ２７８およびＮＩＣ２８０を介してＰＣ１に送出する外部送信モード）を設定して、原稿スキャナ１０にスタート信号を与える（５）。
【００６３】
これに応答してスキャナ１０が原稿画像読み取りを開始して、ライン同期信号ＬＳＹＮＣ，フレームゲート信号ＤＦ  ＦＧＡＴＥ，読み取った画像データおよび画素同期信号を、スキャナ画像処理２６３に出力する。
【００６４】
ＣＰＵ２６１は、スキャナ画像処理２６３の原稿領域外検出２６３ａｄ（図６）の指定領域ゲート信号Ｉ  ＦＧＡＴＥがＬ（読み取りが指定領域内）になると、原稿領域外検出２６３ａｄの領域指定エラー信号ＤＦ  ＥＲＲ  ＩＮＴのＬ（エラーなし）からＨ（領域指定エラー）への切換りに応答する「ＤＦ  ＥＲＲ  ＩＮＴ＝Ｈの割込み」（７ＩＮＴ）を許可する（７）。そして、指定領域ゲート信号Ｉ  ＦＧＡＴＥがＬ（読み取りが指定領域内）からＨ（読み取りが指定領域外）になると、「ＤＦ  ＥＲＲ  ＩＮＴ＝Ｈの割込み」（７ＩＮＴ）を禁止して（９）、原稿読み取りを終了する（１０）。すなわち、そこでスキャナ画像処理２６３への画像データの新たな受入れは停止して、それまでにスキャナ画像処理２６３に受入れた画像データの、スキャナ画像処理２６３による、指定領域の画像データの摘出と画像処理が終了すると、書画蓄積制御２７３（を介してローカルメモリ２７６）に画像データを送出しページエンドを報知する。書画蓄積制御２７３は一旦ローカルメモリ２７６に蓄積しだ画像データおよびその制御データフレームをＮＢ２７８およびＮＩＣ２８０を介してＰＣ１に送出する。
【００６５】
指定領域ゲート信号Ｉ  ＦＧＡＴＥがＨ（読み取りが指定領域外）になるまでに領域指定エラー信号ＤＦ  ＥＲＲ  ＩＮＴがＨ（領域指定エラー）になると、ＣＰＵ２６１は図８の（ｂ）に示す「ＤＦ  ＥＲＲ  ＩＮＴ＝Ｈの割込み」（７ＩＮＴ）を実行する。すなわち、画像データとともに送出する制御データフレームに、領域指定エラー情報を書き込む（７１）。そして「ＤＦ  ＥＲＲ  ＩＮＴ＝Ｈの割込み」を禁止して（７２）、割り込みに進む直前の制御に戻り、指定領域ゲート信号Ｉ  ＦＧＡＴＥがＨ（読み取りが指定領域外）になると、原稿読み取りを終了する（１０）。
【００６６】
図９の（ａ）には、ＣＰＵ２７２に原稿画像読み取りコマンドを与えるＰＣ１の、画像読み取り入力画面を示す。これは、ＰＣ１にインストールしたＭＦ１アプリケーション（複合機能複写機ＭＦ１利用ソフト）に含まれる原稿画像取込みアプリケーション（原稿画像取込みソフト）を起動することによって、ＰＣ１のディスプレイに表示される画像取り込み用の入力画面である。ここでユーザが、所要の入力をして「取込み」ボタンをダブルクリックすることによって、ＰＣ１（原稿画像取込みアプリケーション）が取込み領域指定の原稿読み取りコマンドを生成して複合複写機ＭＦ１のＣＰＵ２６６に送信する。
【００６７】
図９の（ａ）に示す入力画面には、領域指定用のスケール付き領域３０１があり、該領域には指定領域を表わす矩形の点線ブロック３０２が表示されている。点線ブロック３０２の４コーナのそれぞれには、小四角形の操作箇所マーク３０３が表示されており、これを指定して上下左右に動かすことにより、点線ブロック３０２の形状が矩形を維持したまま変化する。すなわち指定領域の調整ができる。原稿画像取込み指示（「取込み」ボタンのダブルクリック）があったときの点線ブロック３０２の対角コーナのｘ（図上横方向），ｙ（縦方向）座標値が、領域指定データとして読み込まれる。点線ブロック３０２の縦方向で最上部の対角コーナのｙ座標値が指定領域の始端データｙ  ｓｔ、縦方向の最下部の対角コーナのｙ座標値が指定領域の終端データｙ  ｅｎｄである。
【００６８】
図９の（ａ）に示す入力画面上の「取込み画像」の欄の５つのボタンは、スキャナ画像処理２６３での画像処理特性を指定するものであり、画像読み取り対象の原稿の画像種を表す表示のボタンをワンクリックすることにより、該原稿画像を最適に表現する画像データ処理が指定される。読取りモードの欄の「ＡＤＦを使用」のチェックは、ＡＤＦを用いるシートスルー読み取りの指定を意味し、該チェックがないと、原稿定置方式の読み取り指定である。「ＡＤＦを使用」の場合には、ＡＤＦの原稿台に載せた原稿のすべてを自動的に順次に読み取る。原稿定置方式の読み取り指定の場合は、「複数取込み」にチェツクがないと一枚の原稿読み取りで読み取り作業を終了するが、「複数取込み」にチェツクがあると、一枚の原稿読み取りをするとそこで読み取り作業を終了するかの指示入力画面をポップアップ表示して、ユーザが終了を指示するとそこで読み取り作業を終了する。終了を指示しないで「取込み」ボタンをクリックするとさらに一枚の原稿読み取りを行い、終了するかの指示入力画面をポップアップ表示する。
【００６９】
ＰＣ１（原稿画像取込みソフト）は、原稿読み取りを終了すると、複写機ＭＦ１から転送されＰＣ１の固定ディスクに生成したフォルダに受信画像（頁）毎にファイル化した画像の各画像（頁）のサムネイルをマトリクス配列でデイスプレイに表示する。ユーザが１つのサムネイルをダブルクリックすると、それが領域指定エラーでないものであると、例えば図１５の（ｃ）に示す、取込み画像を表示した編集画面を、ディスプレイに切り換え表示する。領域指定エラーであった場合には、例えば図９の（ｂ）に示す、取込み画像と領域指定エラー警報文を「継続」ボタンおよび「終了」ボタンと共に表示した編集画面を、ディスプレイに切り換え表示する。領域指定エラー警報文の囲い枠内に表示された「継続」ボタンをユーザがクリックすると、ＰＣ１は領域指定エラー警報文の囲い枠とその中の情報を消去し、その後は領域指定エラーがない場合と同様にユーザは、「ファイル（Ｆ）」あるいは「編集（Ｅ）」の操作を行うことができる。ユーザが「終了」をクリックした場合は、図９の（ａ）に示す入力画面に戻る。いずれにしても、ＰＣ１からコントローラボード２７０にエラーアクノレッジ（領域指定エラー報知に対する了解信号）が報知され、これがコントローラボード２７０を経てＣＰＵ２６１で解読されて、ＣＰＵ２６１がエラークリア信号ＤＦ  ＥＲＲ  ＣＬＲ  （＝Ｈ）を原稿領域外検出２６３ａｄに出力してフリップフロップ２９６をリセットする。
【００７０】
なお、「プレビュー」ボタンのクリックに応答する原稿画像読み取りのときには、一枚の原稿読み取りを終えると、その画像を領域指定用のスケール付き領域３０１に表示し、「取込み」ボタンのクリック（取込み指示）を待つ。ユーザは表示画像を見ながら取込み領域を設定（調整）して「取込み」ボタンをクリックする。
【実施例２】
【００７１】
図１１の（ａ）に示すように、原稿領域の外に指定領域が及ぶ領域指定エラーの場合、原稿領域の外となる指定領域の読み取り画像データは、図１１の（ｂ）に示すように任意データに置換することもできる。任意データは、均一な中間調あるいは均一な特定色もしくはモザイク模様等規則的なパターン図形とすることができるが、第２実施例では、全白あるいは原稿地肌に置換する。
【００７２】
第２実施例のハードウエア構成は上述の第１実施例と同様であり、第２実施例のＣＰＵ２６１の「原稿読み取り制御」（ＤＲＣ）も、第１実施例（図８の（ａ））と同様であるが、第２実施例のＣＰＵ２６１が領域指定エラーの場合に実行する「ＤＦ  ＥＲＲ  ＩＮＴ＝Ｈの割込み」（７１ＮＴａ）の内容が、第１実施例のものとは異なる。
【００７３】
図１０に、第２実施例のＣＰＵ２６１が実行する「ＤＦ  ＥＲＲ  ＩＮＴ＝Ｈの割込み」（７１ＮＴａ）の内容を示す。この割込み処理に進むと第２実施例のＣＰＵ２６１は、画像データとともに送出する制御データフレームに、領域指定エラー情報を書き込む（８１）。そして、取込み画像指定が「カラー」又は「グレースケール」であると、スキャナ画像処理２６３が原稿終端の直前に検出している地肌データへの画像データの切り換えをスキャナ画像処理２６３に設定する（８２，８３）。取込み画像指定が「白黒」であると、全白データへの画像データの切り換えをスキャナ画像処理２６３に設定する（８２，８４）。そして「ＤＦ  ＥＲＲ  ＩＮＴ＝Ｈの割込み」を禁止して（８５）、割り込みに進む直前の制御に戻り、指定領域ゲート信号Ｉ  ＦＧＡＴＥがＨ（読み取りが指定領域外）になると、原稿読み取りを終了する（１０：図８の（ａ））。
【００７４】
第２実施例において、領域指定エラーを生じ、取込み画像指定が「カラー」又は「グレースケール」であった時には、例えば図１１の（ｃ）に示すように、任意データとする領域が、原稿終端の直前の地肌と同じ均一データとなる。取込み画像指定が「白黒」の場合には、スキャナ画像処理２６３が原稿領域に地肌除去処理を加えて、原稿領域の地肌を全白にするが、領域指定エラーを生じ任意データとする領域も全白となる。第２実施例のその他の機能は、第１実施例と同様である。
【実施例３】
【００７５】
第３実施例のハードウエア構成は上述の第１実施例と同様であるが、第３実施例のＣＰＵ２６１の「原稿読み取り制御」は、第１実施例（図８の（ａ））とは少々異なる。
【００７６】
図１２に、第３実施例のＣＰＵ２６１が実行する「原稿読み取り制御」（ＤＲＣａ）の内容を示す。原稿画像読み取りを開始して指定領域ゲート信号Ｉ  ＦＧＡＴＥがＬ（読み取りが指定領域内）になってから（６）、領域指定エラー信号ＤＦ  ＥＲＲ  ＩＮＴがＨ（領域指定エラー）になったときには、画像データとともに送出する制御データフレームに、領域指定エラー情報を書き込む（７ａ，７１）。そして原稿読み取りを終了する（９）。領域指定エラーにならないで指定領域ゲート信号Ｉ  ＦＧＡＴＥがＨ（読み取りが指定領域外）になると、原稿読み取りを終了する（８ａ，９）。
【００７７】
上記「原稿読み取り制御」（ＤＲＣａ）により、第３実施例の場合には、図１３の（ａ）に示すように、原稿領域の外に指定領域が及ぶ領域指定エラーのとき、原稿領域の外となる指定領域の読み取り画像データは、図１３の（ｂ）に示すように削除されて、例えば図１３の（ｃ）に示すように、原稿領域の画像のみが表示され、原稿外領域の読み取り情報は削除したことを伝える警報文が表示される。第３実施例のその他の機能は、第１実施例と同様である。
【実施例４】
【００７８】
第４実施例のハードウエア構成は上述の第１実施例と同様であるが、第４実施例のＣＰＵ２６１の「原稿読み取り制御」は、第１実施例（図８の（ａ））とは少々異なる。
【００７９】
図１４の（ａ）に、第４実施例のＣＰＵ２６１が実行する「原稿読み取り制御」（ＤＲＣｂ）の内容を示す。原稿画像読み取りを開始して指定領域ゲート信号Ｉ  ＦＧＡＴＥがＬ（読み取りが指定領域内）になってから（６）、領域指定エラー信号ＤＦ  ＥＲＲ  ＩＮＴがＨ（領域指定エラー）になったときには、画像データとともに送出する制御データフレームに、領域指定エラー情報を書き込む（７ａ，７１ａ）。そして原稿読み取りを終了する（９）。領域指定エラーにならないで指定領域ゲート信号Ｉ  ＦＧＡＴＥがＨ（読み取りが指定領域外）になると、原稿読み取りを終了する（８ａ，９）。
【００８０】
第４実施例のＰＣ１の原稿画像取込みソフトは、制御データフレームに領域指定エラー情報があると、画像表示領域に画像表示なし記号（×）を表示し、その隣りに、領域指定がエラーであることを表わす警報文を表示する。
【００８１】
上記「原稿読み取り制御」（ＤＲＣｂ）により、第４実施例の場合には、原稿領域の外に取込み指定領域が及ぶ領域指定エラーのとき、例えば図１４の（ｂ）に示すように、原稿領域の画像の表示はなく、領域指定エラーを表す警報文が表示される。第４実施例のその他の機能は、第１実施例と同様である。
【００８２】
なお、原稿定置（フラットベッド）の画像読み取りでは、圧板の裏面が白色であると指定領域が原稿のサイズ領域外であっても、領域外のデータは白色で読み取られることになり、ＡＣＳ動作や白紙検知動作に対しても誤判定する可能性が少ない。シートスルー読み取りでは、構造上原稿の副走査長が予め判断できず、また原稿サイズ領域外のデータが無いためにＡＣＳ動作や白紙検知動作に対しても誤判定する可能性があり、不定なデータのまま送信してしまう。そこで、このような場合には上述のＣＰＵ２６１の「原稿読み取り制御」（ＤＲＣ）は、シートスルー読み取りの場合のみに実施するようにしてもよい。
【図面の簡単な説明】
【００８３】
【図１】本発明の第１実施例を装備した複合機能複写機ＭＦ１の外観を示す正面図である。
【図２】図１に示すＡＤＦ１３装備のカラー原稿スキャナ１０の拡大縦断面図である。
【図３】図１に示すフルカラープリンタ１４の作像機構の概要を示す拡大縦断面図である。
【図４】図１に示す複合機能複写機ＭＦ１の画像処理野しステム構成を示すブロック図である。
【図５】図４に示すスキャナ１０およびプリンタ１４と画像入出力装置２６２との間の画像データの流れを示すブロック図である。
【図６】図４，図５に示すスキャナ画像処理２６３の原稿領域外検出２６３ａｄの機能を論理素子の組合わせで示すブロック図である。
【図７】図６に示す原稿領域外検出２６３ａｄの入出力信号の一部を示すタイムチャートである。
【図８】図４に示すＣＰＵ２６１の「原稿読み取り制御」の概要を示すフローチャートである。
【図９】（ａ）は、図１に示すパソコンＰＣ１のディスプレイに表示される画像読み取り入力画面を示す平面図、（ｂ）は、指定領域が原稿領域を外れた場合にパソコンＰＣ１のディスプレイに表示される読み取り画像表示画面の一例を示す平面図である。
【図１０】本発明の第２実施例でＣＰＵ２６１が実行する割り込み処理の概要を示すフローチャートである。
【図１１】（ａ）は、原稿領域に対する指定領域の配置の一例を示す平面図、（ｂ）は（ａ）の領域指定で摘出される画像データ取込み領域の全体を示す平面図、（ｃ）は、第２実施例で（ａ）の領域指定となった場合にパソコンＰＣ１のディスプレイに表示される読み取り画像表示画面の一例を示す平面図である。
【図１２】本発明の第３実施例でＣＰＵ２６１が実行する原稿画像読み取り制御の概要を示すフローチャートである。
【図１３】（ａ）は、原稿領域に対する指定領域の配置の一例を示す平面図、（ｂ）は（ａ）の領域指定で摘出される原稿画像領域を示す平面図、（ｃ）は、第３実施例で（ａ）の領域指定となった場合にパソコンＰＣ１のディスプレイに表示される読み取り画像表示画面の一例を示す平面図である。
【図１４】（ａ）は、本発明の第４実施例でＣＰＵ２６１が実行する原稿画像読み取り制御の概要を示すフローチャートであり、（ｂ）は、第４実施例で領域指定エラーとなった場合にパソコンＰＣ１のディスプレイに表示される読み取り画像表示画面を示す平面図である。
【図１５】（ａ）は、原稿領域に対する指定領域の配置の一例を示す平面図、（ｂ）は（ａ）の領域指定で摘出される画像領域を示す平面図、（ｃ）は、（ａ）の領域指定となった場合にパソコンのディスプレイに表示される読み取り画像表示画面の一例を示す平面図である。
【図１６】（ａ）は、原稿領域に対する指定領域の配置の一例を示す平面図、（ｂ）は（ａ）の領域指定で摘出される画像データ取込み領域の全体を示す平面図、（ｃ）は、従来例で（ａ）の領域指定となった場合にパソコンのディスプレイに表示される読み取り画像表示画面の一例を示す平面図である。
【符号の説明】
【００８４】
３０：書込ユニット
４８：第１トレイ
４９：第２トレイ    ５０：第３トレイ
５１：第１給紙装置  ５２：第２給紙装置
５３：第３給紙装置  ５４：縦搬送ユニット
５６：感光体        ５７：搬送ベルト
５８：定着ユニット  ５９：排紙ユニット
６０：分岐爪        ２６：搬送モータ
５５：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
１２２：ハードディスク装置（ＨＤＤ）
２７６：ローカルメモリ（ＭＥＭ−Ｃ）
２７９：システムメモリ（ＭＥＭ−Ｐ）
２８７：ファクシミリコントロールユニット（ＦＣＵ）
【図１】
2006203523.tif 000003
【図２】
2006203523.tif 000004
【図３】
2006203523.tif 000005
【図４】
2006203523.tif 000006
【図５】
2006203523.tif 000007
【図６】
2006203523.tif 000008
【図７】
2006203523.tif 000009
【図８】
2006203523.tif 000010
【図９】
2006203523.tif 000011
【図１０】
2006203523.tif 000012
【図１１】
2006203523.tif 000013
【図１２】
2006203523.tif 000014
【図１３】
2006203523.tif 000015
【図１４】
2006203523.tif 000016
【図１５】
2006203523.tif 000017
【図１６】
2006203523.tif 000018